(57)【要約】【課題】  簡素な構成で、二重構造容器の姿勢にかかわらずスパウト付きパウチ内に流路が確保され、従って内容物である飲食物の飲み易さに優れた外装体および二重構造容器の提供を目的とする。【解決手段】  本発明の外装体１１０は、パウチ本体２１０にスパウト２５０を装着したスパウト付きパウチ２００を収容する外装体であって、開閉可能な筒状体よりなり、閉状態としたときの一端部に、前記スパウト付きパウチを内部に収容したときに前記スパウトが外部に突出される状態に固定することが可能な開口１５０が備えられると共に、閉状態としたときの前記一端部とは異なる他端部に前記スパウト付きパウチの前記スパウト以外の部位を固定することが可能な固定機構１６０が備えられていることを特徴とする。【選択図】  図２
2020019495.tif 000002
【特許請求の範囲】
【請求項１】
パウチ本体にスパウトを装着したスパウト付きパウチを収容する外装体であって、
開閉可能な筒状体よりなり、
閉状態としたときの一端部に、前記スパウト付きパウチを内部に収容したときに前記スパウトが外部に突出される状態に固定することが可能な開口が備えられると共に、閉状態としたときの前記一端部とは異なる他端部に前記スパウト付きパウチの前記スパウト以外の部位を固定することが可能な固定機構が備えられていることを特徴とする外装体。
【請求項２】
前記固定機構が、前記スパウト付きパウチにおける前記スパウトと反対側の前記パウチ本体の底部を固定可能に構成されていることを特徴とする請求項１に記載の外装体。
【請求項３】
前記固定機構が、前記スパウト付きパウチの前記パウチ本体の肩部を固定可能に構成されていることを特徴とする請求項１または請求項２に記載の外装体。
【請求項４】
前記固定機構が、前記スパウト付きパウチの前記パウチ本体のシールされた側縁部を固定可能に構成されていることを特徴とする請求項１乃至請求項３のいずれかに記載の外装体。
【請求項５】
前記固定機構が、前記スパウト付きパウチの前記パウチ本体の胴部を固定可能に構成されていることを特徴とする請求項１乃至請求項４に記載の外装体。
【請求項６】
前記固定機構が、前記パウチ本体のシールされた周縁部に形成された貫通孔に挿通されるピンを有することを特徴とする請求項１乃至請求項４のいずれかに記載の外装体。
【請求項７】
前記固定機構が、前記パウチ本体の底部、肩部または胴部を挟む挟持部を有することを特徴とする請求項１乃至請求項６のいずれかに記載の外装体。
【請求項８】
前記開口に、前記スパウト付きパウチの前記スパウトの側周面に設けられた凹所に係合可能な係合片が突出して設けられ、
前記係合片が前記スパウトの凹所に係合することによって、前記スパウト付きパウチが前記開口に固定されることを特徴とする請求項１乃至請求項７のいずれかに記載の外装体。
【請求項９】
パウチ本体にスパウトを装着したスパウト付きパウチと、当該スパウト付きパウチが収容される外装体とよりなる二重構造容器であって、
前記外装体が請求項１乃至請求項８のいずれかに記載のものであることを特徴とする二重構造容器。
【発明の詳細な説明】
【技術分野】
【０００１】
本発明は、パウチ本体にスパウトを装着したスパウト付きパウチを収容する外装体、並びに、外装体と当該外装体に収容されたスパウト付きパウチとよりなる二重構造容器に関する。
【背景技術】
【０００２】
従来、フィルムを重ね合わせてシールしたパウチ本体に注出口としてのスパウトを装着したスパウト付きパウチに、ミネラルウォータ、ソフトドリンク類などの液体飲料や、ゼリー飲料、スムージー、フローズンアイスクリームなどの流体食品を詰めたパウチ飲料が広く普及している。
液体飲料や流体食品を充填する容器がこのようなスパウト付きパウチであると、例えばＰＥＴボトルなどと比較して軟質であるため廃棄されるゴミの総量を抑制する効果などが見込まれる一方、軟質であるがゆえに保形性に劣り、また外力に弱いという問題が生じる。
このような問題を解決するために、例えば特許文献１には、軟質合成樹脂製のスパウト付きパウチを硬質合成樹脂製のハウジングにスパウトを固定した状態で収容し、全体として保形性が得られる二重構造容器が開示されている。
【先行技術文献】
【特許文献】
【０００３】
【特許文献１】特開２０００−１１８５６２号公報
【発明の概要】
【発明が解決しようとする課題】
【０００４】
しかしながら、このような二重構造容器においては使用者が内容物を飲みにくいことがある、という問題がある。
すなわち、使用者が飲食物を摂取する際に顔や身体を傾けることなく飲食物を口に運ぶことを想定すると、使用者は二重構造容器内に残存する内容物の量に従って容器を次第に斜めに掲げていくことになる。然るに、上記の二重構造においてはハウジングにスパウトのみを固定しているために、二重構造容器を斜めに特に底部が水平よりも上方に位置する状態にすると、ハウジング内でパウチが折れ曲がるなどして流路が閉塞され、その結果、内容物の飲食に支障をきたしてしまう。
【０００５】
本発明は、これらの問題点を解決するものであり、簡素な構成で、二重構造容器の姿勢にかかわらずスパウト付きパウチ内に流路が確保され、従って内容物である飲食物の飲み易さに優れた外装体および当該外装体とこれに収容されたスパウト付きパウチとよりなる二重構造容器を提供することを目的とするものである。
【課題を解決するための手段】
【０００６】
本発明の外装体は、パウチ本体にスパウトを装着したスパウト付きパウチを収容する外装体であって、
開閉可能な筒状体よりなり、
閉状態としたときの一端部に、前記スパウト付きパウチを内部に収容したときに前記スパウトが外部に突出される状態に固定することが可能な開口が備えられると共に、閉状態としたときの前記一端部とは異なる他端部に前記スパウト付きパウチの前記スパウト以外の部位を固定することが可能な固定機構が備えられていることを特徴とする。
【０００７】
本発明の二重構造容器は、パウチ本体にスパウトを装着したスパウト付きパウチと、当該スパウト付きパウチが収容される外装体とよりなる二重構造容器であって、
前記外装体が上記のものであることを特徴とする。
【発明の効果】
【０００８】
本発明の請求項１および請求項９に係る発明によれば、筒状体の一端部にスパウト付きパウチのスパウトを固定する開口が備えられると共に他端部にスパウト付きパウチのスパウト以外の部位を固定可能に構成された固定機構が備えられているので、外装体内においてスパウト付きパウチが常に一定の姿勢で保定されることにより、簡素な構成で、二重構造容器の姿勢にかかわらずスパウト付きパウチの変形による流路の閉塞が抑止されてスパウト付きパウチの流路が確保される。従って、スパウト付きパウチ内に充填された内容物の残存量が少なくなってきても優れた飲み易さが得られ、その結果、容易に内容物を最後まで飲み切れるためにフードロスを削減することができる。また、外装体を構成する筒状体の開口にスパウト付きパウチのスパウトが固定されることにより、キャップの開栓時および閉栓時に供回りが抑止されて開栓および閉栓が容易になる。また、外装体を硬質な材料によって形成することによって、使用者が鞄などに入れて持ち運び易く、スパウト付きパウチ内に充填された内容物を飲むときに把持し易く高いハンドリング性が得られる。さらに、スパウト付きパウチを内部に収容することができる以外に外装体表面にデザインの制限がないことから、高いデザインの自由度が得られる。
【０００９】
本発明の請求項２乃至請求項７に係る発明によれば、外装体の固定機構においてスパウト付きパウチの底部や肩部、胴部、側縁部を簡単な構成で固定することができ、スパウト付きパウチを外装体内に確実に保定することができる。
本発明の請求項８に係る発明によれば、外装体の開口に突出して備えられた係合片がスパウトの側周面に設けられた凹所に係合することによってスパウト付きパウチが開口に固定されるので、スパウト付きパウチの外装体への固定が強固になされ、スパウト付きパウチの外装体内への落下が確実に防止されると共に、開栓または閉栓のためにキャップを回転させたときの供回りの発生が確実に防止されて極めて容易にスパウト付きパウチの開栓および閉栓を行うことができる。
【図面の簡単な説明】
【００１０】
【図１】本発明の一実施形態に係る外装体にスパウト付きパウチを収容した状態を示す斜視図である。
【図２】図１の外装体を開状態にし、（ａ）スパウト付きパウチを取り外した状態を示す斜視図、（ｂ）スパウト付きパウチを取り付けた状態を示す斜視図である。
【図３】図１の外装体を開口側から見た平面図である。
【図４】（ａ）スパウト付きパウチの底部の一部を拡大して示す正面図、（ｂ）スパウト付きパウチを外装体に収容した状態における底部の一部を拡大して示す断面図である。
【図５】（ａ）図１の外装体の開状態における開口の周辺を拡大して示す斜視図、（ｂ）（ａ）におけるスパウト付きパウチを取り付けた状態を示す斜視図である。
【図６】本発明の外装体の変形例を、（ａ）開状態においてスパウト付きパウチを取り付けた状態を示す斜視図、（ｂ）わずかな開状態において底部の一部を拡大して示す斜視図である。
【図７】本発明の外装体の別の変形例を、（ａ）開状態においてスパウト付きパウチを取り付けた状態を示す斜視図、（ｂ）（ａ）におけるスパウト付きパウチを取り外した状態を示す斜視図である。
【図８】本発明の外装体のさらに別の変形例を、開状態で示す斜視図である。
【図９】図８の外装体を、閉状態においてスパウト付きパウチを収容した状態で示す横断面図である。
【発明を実施するための形態】
【００１１】
以下に、本発明の一実施形態に係る二重構造容器１００について、図面に基づいて説明する。
本発明の一実施形態に係る二重構造容器１００は、パウチ本体２１０にスパウト２５０を装着したスパウト付きパウチ（以下、単に「パウチ」ともいう。）２００と、当該パウチ２００が収容される外装体１１０とよりなるものであって、パウチ２００には、ミネラルウォータ、ソフトドリンク類などの液体飲料や、ゼリー飲料、スムージー、フローズンアイスクリームなどの流体食品などの内容物が充填される。パウチ２００は、内容量が３００〜５００ｍＬの大きさのものである。
【００１２】
〔外装体〕
本発明の一実施形態に係る外装体１１０は、図１および図２に示すように、上下方向（図１において上下方向）に沿って延在する分割線１１１から左側シェル１２０および右側シェル１３０に左右に２分割して観音開きで開状態とすることができる開閉可能な全体縦長の偏平な略有底筒状体よりなる。すなわち、左側シェル１２０および右側シェル１３０は、いずれも長方形の把持用壁１２５，１３５とその周縁から立ち上がって形成された側壁１２６，１３６とからなり、ヒンジ１１２を中心に開閉可能に相互に連結されている。左側シェル１２０および右側シェル１３０の側壁１２６，１３６のヒンジ１１２の反対側にはそれぞれ留め具１２７，１３７が備えられ、この留め具１２７，１３７が互いに係合することにより左側シェル１２０および右側シェル１３０が合体されて外装体１１０が閉状態とされる。外装体１１０が観音開きで開状態とすることができる開閉可能な構造を有することにより、パウチ２００のスパウト２５０および底部の下縁シール部２１４の貫通孔２１９（図４参照）を外装体１１０に固定する作業を容易に行うことができる。
外装体１１０には、閉状態としたときの上部に、パウチ２００を頂部のスパウト２５０が外部に突出される状態に固定することが可能な開口１５０（図３参照）が備えられると共に、下部にパウチ２００の底部を固定することが可能な固定機構１６０が備えられている。
【００１３】
外装体１１０は、ある程度の剛直性を有すればよく、具体的にはポリプロピレン、ポリエチレン、ポリエチレンテレフタレート、ポリブチレンテレフタレート、ポリカーボネート、アクリル樹脂、ＡＢＳ樹脂、エポキシ樹脂などの合成樹脂；スチール、アルミ、銅、銀、錫、または、これらの合金などの金属などによって形成することができる。外装体１１０がある程度の剛直性を有して強度が確保されることによれば、パウチ２００に持ち運びや把持の外力を考慮した強度を付与する必要がないため、パウチ２００を形成するフィルムの薄肉化や層構成の簡易化を進めることができる。
外装体１１０の外周面には、使用者による外装体１１０の把持位置に滑り止めの凹凸溝１１８による模様が形成されている。
なお、外装体１１０の具体的形状については、内部にパウチ２００を固定して収容可能であり、かつ、使用者が外装体１１０を容易に把持することが可能なものであれば、如何なるものでもよい。また、外装体１１０は、輪郭に沿った剛直なフレームとフレーム間に張られた例えば透明シートなどの軟質カバーとにより構成されていてもよい。
【００１４】
外装体１１０の開口１５０は、図３に示すように、外装体１１０の上面に左側シェル１２０および右側シェル１３０にまたがった状態で厚み方向に貫通するよう形成されている。すなわち、開口１５０は、左側シェル１２０および右側シェル１３０の上部の側壁１２６，１３６にそれぞれ形成された切り欠き１５１，１５２が外装体１１０の閉状態において組み合わせられることにより内縁形状が環状になるよう形成されるものである。開口１５０には、パウチ２００のスパウト２５０に設けられた凹所２５６に係合可能な係合片１５５が、右側シェル１３０から分割線１１１に向かって突出する状態に設けられている。
開口１５０は、パウチ２００のスパウト２５０の後述するリブ２５３の外輪郭形状（具体的には丸形状以外の形状）に対応した輪郭形状を有するものとされ、この実施形態に係る外装体１１０においては八角形の外輪郭形状を有するものとされている。開口１５０が丸形状以外の輪郭形状を備えることによって、開栓または閉栓のためにパウチ２００のキャップ２５７を回転させたときの供回りの発生が確実に防止されて極めて容易にパウチ２００の開栓および閉栓を行うことができる。
【００１５】
外装体１１０の固定機構１６０は、図４に示すように、右側シェル１３０の把持用壁１３５の下部から左側シェル１２０に向かって突出する状態に形成された底部ピン１６１と、左側シェル１２０の把持用壁１２５の下部の底部ピン１６１と対応する位置から右側シェル１３０に向かって突出する状態に形成されたピン受け１６２とよりなる。
固定機構１６０は、少なくとも１対の底部ピン１６１およびピン受け１６２からなるピン留め具を有していればよいが、２対以上のピン留め具を有していてもよい。例えば２対のピン留め具を有する場合には、パウチ２００の下縁シール部２１４の両端にそれぞれ貫通孔２１９を形成し、２対のピン留め具を各々の貫通孔２１９に対応する位置に形成すればよい。複数のピン留め具を有する固定機構１６０によれば、パウチ２００の変形による閉塞を確実に抑止することができる。
【００１６】
〔パウチ〕
パウチ２００は、重ねたフィルムの周縁部をヒートシールにより袋状に形成したパウチ本体２１０に、注出口として機能するスパウト２５０を装着して構成されている。
この実施形態に係る外装体１１０に収容されるパウチ２００は、パウチ本体２１０の周縁部に形成されたヒートシール部が、上縁部に沿って帯状に形成された上縁シール部２１３と、下縁部に沿って帯状に形成された下縁シール部２１４と、側縁部に沿って帯状に形成された４つの側縁シール部２１５とを備えた、いわゆるガゼットタイプの形状を有する。
パウチ２００の底部すなわちヒートシールされた周縁部のうちの下縁シール部２１４においては、その中央部にピン留め具を挿入して外装体１１０に固定するための貫通孔２１９が形成されている。
パウチ２００を形成するフィルムの材料としては、ポリエステル、ポリプロピレン、ポリアミド、ポリエチレン、ボリブチレンテレフタレート、エチレン−ビニルアルコール共重合体等の合成樹脂性フィルムや、これら合成樹脂性フィルムにガスバリア性や水分バリア性を付与したコーティングフィルム又は蒸着フィルム等の公知の合成樹脂性フィルムを積層することや、合成樹脂製フィルムに紙またはアルミ箔を積層することで形成されたもの等が挙げられる。
なお、パウチ２００は、その外形形状が外装体１１０の内部形状に適合して開口１５０および固定機構１６０によって固定可能である形状とされていれば、具体的形状についてはガゼットタイプに限定されず、ピロータイプのパウチ、平パウチ、スタンディングタイプパウチ等、様々な形態を採用することができる。
【００１７】
スパウト２５０は、図５に示すように、パウチ本体２１０の内部と外部とを連通させる貫通孔を有する筒部２５２を有するスパウト本体２５１と、このスパウト本体２５１に螺合可能なキャップ２５７とにより構成されている。スパウト本体２５１の筒部２５２の下部には、パウチ本体２１０を構成する表裏のフィルム間に挟まれて装着される台座（図示せず）が設けられており、この台座がパウチ本体２１０の上縁部の中央付近に装着されることにより、パウチ２００の内部を密閉できる構造となっている。具体的には、パウチ本体２１０の上縁部において、パウチ本体２１０を形成する表裏のフィルムの間に台座を配置した後、表裏のフィルムを熱溶着することによってフィルムが台座の側面に熱溶着され、これにより、上縁シール部２１３が形成されると共にパウチ本体２１０の上縁部にスパウト２５０が装着される。
スパウト２５０のスパウト本体２５１には、八角形の外輪郭形状を有する板状のリブ２５３が２枚、上下方向に間隙を介して積層されて設けられており、２枚のリブ２５３を貫通する状態にスパウト本体２５１の筒部２５２が設けられていることにより、２枚のリブ２５３間に外方に開放された凹所２５６が形成される。凹所２５６の上下方向の幅は、外装体１１０の係合片１５５の厚みよりわずかに大きい程度とされる。
リブ２５３の外輪郭形状は、丸形でなければよく、四角形、五角形、六角形、七角形などの多角形とされていてもよい。
スパウト２５０を形成する材料としては、ポリエチレン、ポリプロピレン等の合成樹脂が挙げられる。
【００１８】
内容物の充填されたパウチ２００は、外装体１１０内に収容され、外装体１１０の閉状態すなわち左側シェル１２０および右側シェル１３０の合体状態で留め具１２７，１３７を嵌合することにより固定すると、全体として筒状体の外装体１１０にパウチ２００が収容された二重構造容器１００となり、必要に応じてスパウト２５０のキャップ２５７を外せば、パウチ２００内に充填された内容物を、外装体１１０を開状態とせずに飲むことができる。
外装体１１０に対するパウチ２００の収容の仕方としては、まず、開状態とした外装体１１０の右側シェル１３０の開口１５０に、係合片１５５をパウチ２００のスパウト２５０の凹所２５６に係合することによってスパウト２５０を外装体１１０の開口１５０に取り付ける。次いで、固定機構１６０については、右側シェル１３０の底部ピン１６１をパウチ本体２１０の底部の貫通孔２１９に挿入する。この状態で、左側シェル１２０および右側シェル１３０を合体して外装体１１０を閉状態とすることにより、固定機構１６０については左側シェル１２０のピン受け１６２がパウチ２００の底部の貫通孔２１９に挿入され、かつ、右側シェル１３０の底部ピン１６１がピン受け１６２内に嵌入されることによって、パウチ２００の底部を外装体１１０に固定して取り付けることができると供に、開口１５０の内縁形状が環状になるよう閉じてパウチ２００のスパウト２５０が開口１５０に固定して取り付けられ、これにより、パウチ２００を外装体１１０内に収容することができる。
また、パウチ２００内の内容物が空になったときは、留め具１２７，１３７の嵌合を解除して外装体１１０を開状態とし、パウチ２００を取り外し、新しいパウチ２００と交換して空となったパウチ２００を廃棄し、この手順を繰り返して外装体１１０にパウチ２００を収容して使用する。外装体１１０は繰り返して使用することができるので、廃棄されるゴミの総量を抑制することができる。
外装体１１０に交換して収容されるパウチ２００は、同一形状のものに限定されず、開口１５０に適合して係合することができる凹所２５６を有するスパウト２５０を備え、かつ、固定機構１６０において固定可能なものであれば、別形状のものであってもよい。
【００１９】
以上、本発明の実施形態を詳述したが、本発明は上記実施形態に限定されるものではなく、特許請求の範囲に記載された本発明を逸脱することなく種々の設計変更を行なうことが可能である。
例えば、上述した実施形態に係る固定機構１６０および後述する複数の変形例に係る固定機構を、任意に組み合わせて外装体１１０を構成しても構わない。
また例えば、上述した実施形態では外装体１１０の開口１５０が上面の中央部に形成されたものとして説明したが、開口１５０の位置は、パウチ２００におけるスパウト２５０の装着位置に従った位置であればよい。具体的には、例えばパウチ２００としてスパウト２５０がパウチ本体２１０の上縁部の端部すなわちパウチ本体２１０の角部に装着されたものである場合には、開口１５０は外装体１１０の上方角部に形成させればよい。
また例えば、外装体１１０の開口１５０は、左側シェル１２０と右側シェル１３０とに平等にまたがらず、いずれか一方に寄った状態に形成されていてもよい。このような構成にすることによって、外装体１１０へのパウチ２００の装着時に脱落することを抑止することができる。
【００２０】
また例えば、パウチ２００の底部を固定する固定機構は、図６に示されるように、パウチ本体２１０の底部の下縁シール部２１４を両側から挟む挟持部（下部挟持部）を有する構成であってもよい。具体的には、固定機構１７０は、左側シェル１２０の下部の側壁１２６の内表面に突出して形成された波型形状または針型形状の突出部１７１と、右側シェル１３０の下部の側壁１３６の内表面に突出して形成された、前記突出部１７１と噛み合う形状および適合する突出長さの突出部１７２とから構成され、パウチ２００の底部の下縁シール部２１４を厚み方向の両側から挟み込むことによって固定することができる。固定機構１７０がこのように挟み込む構成のものであることにより、パウチ２００にピン留め具を挿入するための貫通孔を開ける必要がなく、また、パウチ２００の取り付け時にピンに貫通孔を引っ掛ける手間も必要がなく、高い利便性が得られる。また、外装体１１０に取り付け可能なパウチ２００の種類を広げることができる。
【００２１】
本発明の外装体は、パウチ２００のスパウト２５０が固定される開口１５０が備えられる一端部とは異なる他端部にパウチ２００のスパウト２５０以外の部位を固定することが可能な固定機構が備えられているものであるが、他端部に固定機構によって固定されるパウチ２００のスパウト２５０以外の部位とは、パウチ２００の底部に限定されず、パウチ２００の上部におけるスパウト２５０に隣接した肩部（上縁シール部２１３）や、パウチ本体２１０の胴部、パウチ本体２１０のヒートシールされた側縁部（側縁シール部２１５）などを含む。
【００２２】
例えば、パウチ２００の上部におけるスパウト２５０に隣接した肩部をさらに外装体１１０に設けられた突出部によって挟んで固定してもよい。具体的には、図７に示されるように、左側シェル１２０の把持用壁１２５の上部の内表面に突出して形成された波型形状または針型形状の突出部１８１と、右側シェル１３０の把持用壁１３５の上部の内表面に突出して形成された、前記突出部１８１と噛み合う形状および適合する突出長さの突出部１８２とから構成され、パウチ２００の上部の上縁シール部２１３のスパウト２５０が装着された領域の両側の肩部をそれぞれ挟み込むことによって固定することができる。パウチ２００の肩部がさらに固定される構成のものであることにより、パウチ２００内の内容物が少なくなってきても、パウチ２００の上部が変形することが確実に防止されるので、パウチ２００の変形による流路の閉塞を確実に抑止することができる。
【００２３】
また例えば、パウチ２００のパウチ本体２１０の胴部を固定可能な固定機構１９０が設けられていてもよい。具体的には、図８および図９に示されるように、固定機構１９０は、左側シェル１２０の把持用壁１２５の中央部の内表面に突出して上下方向に伸びるよう形成された複数の補強リブ１９１と、右側シェル１３０の把持用壁１３５の中央部の内表面に突出して、前記補強リブ１９１と対応する位置および形状に形成された補強リブ１９２とから構成された胴部挟持部を有し、パウチ２００のパウチ本体２１０の胴部を厚み方向（図９における上下方向）の両側から挟み込むことによって固定することができる。パウチ２００のパウチ本体２１０の胴部がさらに固定される構成のものであることにより、パウチ２００内の内容物が少なくなってきても、外装体１１０の内部でパウチ２００と外装体１１０との間に遊びが発生することを抑制することができる。また、補強リブ間に空気層が確保されることにより、保温／保冷機能が付与され、これにより、外装体１１０の外表面に結露が生じることを抑制することができる。
また、パウチ２００のパウチ本体２１０の胴部を固定する固定機構は、パウチ本体２１０の側縁シール部２１５に形成された貫通孔に挿通される側部ピンおよびピン受けよりなる構成のものであってもよい。
【符号の説明】
【００２４】
１００  二重構造容器
１１０  外装体
１１１  分割線
１１２  ヒンジ
１１８  凹凸溝
１２０  左側シェル
１２５  把持用壁
１２６  側壁
１２７  留め具
１３０  右側シェル
１３５  把持用壁
１３６  側壁
１３７  留め具
１５０  開口
１５１，１５２  切り欠き
１５５  係合片
１６０  固定機構
１６１  ピン
１６２  ピン受け
１７０  固定機構
１７１，１７２  突出部
１８１，１８２  突出部
１９０  固定機構
１９１，１９２  補強リブ
２００  パウチ（スパウト付きパウチ）
２１０  パウチ本体
２１３  上縁シール部
２１４  下縁シール部
２１５  側縁シール部
２１９  貫通孔
２５０  スパウト
２５１  スパウト本体
２５２  筒部
２５３  リブ
２５６  凹所
２５７  キャップ
【図１】
2020019495.tif 000003
【図２】
2020019495.tif 000004
【図３】
2020019495.tif 000005
【図４】
2020019495.tif 000006
【図５】
2020019495.tif 000007
【図６】
2020019495.tif 000008
【図７】
2020019495.tif 000009
【図８】
2020019495.tif 000010
【図９】
2020019495.tif 000011